【手続補正書】
【提出日】令和3年9月21日(2021.9.21)
【手続補正１】
【補正対象書類名】特許請求の範囲
【補正対象項目名】全文
【補正方法】変更
【補正の内容】
【特許請求の範囲】
【請求項１】
創傷と接触して位置決めされるように構成された創傷被覆材（５００、６０４）であって、色を測定するように構成された光学センサ（５０４、６０８）を備える、創傷被覆材と、
前記創傷被覆材の底面に位置決めされたｐＨ感受性材料であって、前記創傷のｐＨの変化に応答して色を変化させるように構成され、親水性ポリマー、親水性ゲル、または親水性発泡体を含む、ｐＨ感受性材料と、を備え、
前記光学センサが、前記ｐＨ感受性材料の色変化の検出に基づいて、前記創傷の前記ｐＨを検出するようにさらに構成されている、創傷監視システム。
【請求項２】
前記ｐＨ感受性材料には、ｐＨ感受性要素が散在している、請求項１に記載のシステム。
【請求項３】
前記ｐＨ感受性要素が、不均一に分散されている、請求項２に記載のシステム。
【請求項４】
前記ｐＨ感受性要素が、均一に分散されている、請求項２に記載のシステム。
【請求項５】
前記ｐＨ感受性材料が、接着材料を含む、請求項１〜４のいずれか一項に記載のシステム。
【請求項６】
前記ｐＨ感受性材料が、ポリウレタンを含む、請求項１〜５のいずれか一項に記載のシステム。
【請求項７】
前記創傷被覆材の前記底面に位置決めされた非ｐＨ感受性材料をさらに含み、前記非ｐＨ感受性材料が、創傷滲出液を前記ｐＨ感受性材料に誘導するように構成されている、請求項１〜６のいずれか一項に記載のシステム。
【請求項８】
前記非ｐＨ感受性材料が、親水性ポリマー、ゲル、または発泡体を含む、請求項７に記載のシステム。
【請求項９】
前記非ｐＨ感受性材料が、前記創傷被覆材の前記底面に１以上のチャネルとして配設されており、
任意で、１以上の前記チャネルが、前記ｐＨ感受性材料から前記創傷被覆材の縁まで延在している、請求項７または８に記載のシステム。
【請求項１０】
前記非ｐＨ感受性材料が、接着材料を含む、請求項７〜９のいずれか一項に記載のシステム。
【請求項１１】
コントローラをさらに備え、前記コントローラが、前記光学センサによって測定された前記色をｐＨ値に変換するように構成されている、請求項１〜１０のいずれか一項に記載のシステム。
【請求項１２】
前記コントローラが、前記ｐＨ値の表示をユーザに提供するように構成されており、
任意で、前記コントローラが、前記ｐＨ値を表示するようにさらに構成されている、請求項１１に記載のシステム。
【請求項１３】
基準材料をさらに含み、前記基準材料が、安定した色を維持するように構成されている、請求項１〜１２のいずれか一項に記載のシステム。
【請求項１４】
前記基準材料が、前記創傷被覆材に組み込まれている、請求項１３に記載のシステム。
【手続補正２】
【補正対象書類名】明細書
【補正対象項目名】０２００
【補正方法】変更
【補正の内容】
【０２００】
本開示の範囲は、本節におけるまたは本明細書の他の箇所における好ましい実施形態の特定の開示によって制限されることを意図するものではなく、本節においてまたは本明細書の他の箇所において提示されているか、またはこの後に提示される特許請求の範囲によって定義され得る。本特許請求の範囲の言い回しは、本特許請求の範囲で用いられている言い回しに基づいて広い意味で解釈されるべきであり、本明細書で説明されている例または本出願の手続きの間に説明される例に限定されるものではなく、それらの例は非排他的なものとして解釈されるべきである。
［付記項１］
創傷監視システムであって、
創傷と接触して位置決めされるように構成された創傷被覆材であって、色を測定するように構成された光学センサを備える、創傷被覆材と、
前記創傷被覆材の底面上に位置決めされたｐＨ感受性材料であって、前記創傷のｐＨの変化に応答して色を変化させるように構成された、ｐＨ感受性材料と、を備え、
前記光学センサが、前記ｐＨ感受性材料の前記色変化の検出に基づいて、前記創傷の前記ｐＨを検出するようにさらに構成されている、創傷監視システム。
［付記項２］
前記ｐＨ感受性材料が、親水性ポリマー、ゲル、または発泡体を含む、付記項１に記載のシステム。
［付記項３］
前記ｐＨ感受性材料には、ｐＨ感受性要素が散在している、付記項１〜２のいずれか一項に記載のシステム。
［付記項４］
前記ｐＨ感受性要素が、不均一に分散されている、付記項３に記載のシステム。
［付記項５］
前記ｐＨ感受性要素が、均一に分散されている、付記項３に記載のシステム。
［付記項６］
前記ｐＨ感受性材料が、接着材料を含む、付記項１〜５のいずれか一項に記載のシステム。
［付記項７］
前記ｐＨ感受性材料が、ポリウレタンを含む、付記項１〜６のいずれか一項に記載のシステム。
［付記項８］
前記創傷被覆材の前記底面上に位置決めされた非ｐＨ感受性材料をさらに含み、前記非ｐＨ感受性材料が、創傷滲出液を前記ｐＨ感受性材料に誘導するように構成されている、付記項１〜７のいずれか一項に記載のシステム。
［付記項９］
前記非ｐＨ感受性材料が、親水性ポリマー、ゲル、または発泡体を含む、付記項８に記載のシステム。
［付記項１０］
前記非ｐＨ感受性材料が、前記創傷被覆材の前記底面上に１つまたは複数のチャネルとして配設されている、付記項８または９に記載のシステム。
［付記項１１］
前記１つまたは複数のチャネルが、前記ｐＨ感受性材料から前記被覆材の縁まで延在している、付記項１０に記載のシステム。
［付記項１２］
前記非ｐＨ感受性材料が、接着材料を含む、付記項８〜１１のいずれか一項に記載のシステム。
［付記項１３］
コントローラをさらに備え、前記コントローラが、前記光学センサによって測定された前記色をｐＨ値に変換するように構成されている、付記項１〜１２のいずれか一項に記載のシステム。
［付記項１４］
前記コントローラが、前記ｐＨ値の表示をユーザに提供するように構成されている、付記項１３に記載のシステム。
［付記項１５］
前記コントローラが、前記ｐＨ値を表示するようにさらに構成されている、付記項１４に記載のシステム。
［付記項１６］
基準材料をさらに含み、前記基準材料が、安定した色を維持するように構成されている、付記項１〜１５のいずれか一項に記載のシステム。
［付記項１７］
前記基準材料が、前記創傷被覆材に組み込まれている、付記項１６に記載のシステム。
［付記項１８］
創傷のｐＨを監視する方法であって、
創傷または創傷を囲む皮膚のうちの少なくとも一方を、前記創傷または前記創傷を囲む皮膚と接触して位置決めされた創傷被覆材を用いて監視することであって、前記創傷被覆材は、前記創傷のｐＨの変化に応答して色を変化するように構成されたｐＨ感受性材料と、前記ｐＨ感受性材料の色変化を検出するように構成された光学センサと、を含む、監視することと、
前記光学センサからの前記検出された色変化に基づいて、プロセッサでｐＨ値を計算することと、を含む、方法。
［付記項１９］
前記光学センサが、基準材料の色値を検出するように構成されており、前記ｐＨ感受性材料の色値を前記基準材料に正規化することをさらに含む、付記項１８に記載の方法。
［付記項２０］
前記基準材料が、安定した色を維持するように構成されている、付記項１９に記載の方法。
［付記項２１］
付記項１〜１７のいずれか一項に記載のシステムを使用する方法。
［付記項２２］
実質的に示されおよび／または記載されるような装置。
［付記項２３］
実質的に示されおよび／または記載されるような方法。
［付記項２４］
実質的に示されおよび／または記載されるようなシステム。